(57)【要約】【課題】段ボールケース内で機器の底部コーナー部を支える発泡樹脂ブロックの強度を高め、しかもそれをコスト安に実現できるようにする。【解決手段】機器を囲む段ボールケース２内に、機器の底部コーナー部を支える発泡樹脂ブロック３を挿入する。発泡樹脂ブロック３には、その底面から天面方向に延びるスリット４が形成されており、このスリット４に補強用の段ボール片５が挿入される。段ボール片５は平面形状がコ字形をなすように折曲されている。【選択図】図１
2009046138.tif 000002
【特許請求の範囲】
【請求項１】
機器を囲む段ボールケース内に、前記機器の底部コーナー部を支える発泡樹脂ブロックを挿入する機器の梱包装置において、
前記発泡樹脂ブロックには、その底面から天面方向に延びるスリットを形成し、このスリットに補強用の段ボール片を挿入したことを特徴とする機器の梱包装置。
【請求項２】
前記スリットは、前記発泡樹脂ブロックの天面の手前で行き止まりになっていることを特徴とする請求項１に記載の機器の梱包装置。
【請求項３】
前記段ボール片は、平面形状の少なくとも一部がコ字形をなすように折曲されていることを特徴とする請求項１または２に記載の機器の梱包装置。
【請求項４】
前記段ボール片が前記段ボールケースの底部フラップから切り起こされたものであることを特徴とする請求項１から３のいずれか１項に記載の機器の梱包装置。
【発明の詳細な説明】
【技術分野】
【０００１】
本発明は電子機器等の機器の梱包装置に関する。
【背景技術】
【０００２】
電子機器等の梱包装置では、段ボールケース内に挿入した発泡樹脂ブロックで機器の底部コーナー部を支える方式とすることが多い。このような梱包装置の例を特許文献１に見ることができる。
【０００３】
特許文献１には、テレビジョン受像器の梱包構造であって、箱体内の左右の隅部に嵌め込む緩衝材でテレビジョン受像器を支えると共に、箱体の底板には前記緩衝材の位置ずれを防ぐ係合部材を切り起こし形成したものが記載されている。
【０００４】
また、段ボールケースに挿入される発泡樹脂ブロックの強度を高めるため、各種の工夫がなされている。その例を特許文献２−５に見ることができる。
【０００５】
特許文献２には、発泡スチロール製の緩衝材を段ボール製緩衝箱に密着状に挿入して発泡スチロールの脆さをカバーした緩衝材が記載されている。
【０００６】
特許文献３には、機器等を段ボールケース等に梱包する際に使用するコーナーパットであって、発泡合成樹脂の基体の内面に金属もしくは硬質合成樹脂よりなる補強部材を配設したものが記載されている。
【０００７】
特許文献４には、カートンケース内に収納される緩衝部材に、カートンケースの上面から底面まで貫通する貫通孔を形成し、この貫通孔にカートンケースの上面と底面とに当接する長さを有する補強部材を挿通したものが記載されている。
【０００８】
特許文献５には、合成樹脂発泡体よりなる緩衝材に段ボール等の補形部材を組み合わせるにあたり、緩衝材に形成された溝または凹部等からなる嵌合部の面に、嵌合基準形状に対し突出する凸部を設け、嵌合する補形部材に対し摺接抵抗を与えるようにしたものが記載されている。
【特許文献１】実用新案登録第３０８３１２０号公報
【特許文献２】特開平９−１４２５３７号公報
【特許文献３】実開昭６０−７５２６２号公報
【特許文献４】特開２００２−１７９１５０号公報
【特許文献５】特開平８−２１７１５２号公報
【発明の開示】
【発明が解決しようとする課題】
【０００９】
発泡樹脂ブロックで支える機器が大型テレビジョン受像器のようなものであると、機器の重量で発泡樹脂ブロックが変形、端的に言えばつぶれることがある。このようなことが起きると梱包に緩みが生じるうえ、梱包も含めた全体としての商品価値が下がる。
【００１０】
本発明は上記の点に鑑みなされたものであり、段ボールケース内で機器の底部コーナー部を支える発泡樹脂ブロックの強度を高め、しかもそれをコスト安に実現できるようにすることを目的とする。
【課題を解決するための手段】
【００１１】
上記目的を達成するために本発明は、機器を囲む段ボールケース内に、前記機器の底部コーナー部を支える発泡樹脂ブロックを挿入する機器の梱包装置において、前記発泡樹脂ブロックには、その底面から天面方向に延びるスリットを形成し、このスリットに補強用の段ボール片を挿入したことを特徴としている。
【００１２】
この構成によると、コスト安な段ボール片で機器の重量を支え、発泡樹脂ブロックの変形を防ぐことができる。段ボール片自体は発泡樹脂ブロックのスリットに挿入されているので、倒れる心配がない。
【００１３】
本発明は、上記構成の機器の梱包装置において、前記スリットは、前記発泡樹脂ブロックの天面の手前で行き止まりになっていることを特徴としている。
【００１４】
この構成によると、機器に接触するのはあくまでも発泡樹脂ということになり、硬い段ボール片で機器に傷をつけることがない。
【００１５】
本発明は、上記構成の機器の梱包装置において、前記段ボール片は、平面形状の少なくとも一部がコ字形をなすように折曲されていることを特徴としている。
【００１６】
この構成によると、段ボール片がより大きな荷重を支えられるようになる。
【００１７】
本発明は、上記構成の機器の梱包装置において、前記段ボール片が前記段ボールケースの底部フラップから切り起こされたものであることを特徴としている。
【００１８】
この構成によると、段ボール片の段ボールケースに対する位置が固定されるので、発泡樹脂ブロックを段ボールケース内に正確に位置決めし、位置ずれを防ぐことができる。また段ボール片用の段ボール材を別途用意する必要がなく、コストを削減できる。
【発明の効果】
【００１９】
本発明によると、簡単な構成で発泡樹脂ブロックの強度を高め、重量物を支持しても変形しないようにすることができる。
【発明を実施するための最良の形態】
【００２０】
以下、図１−３に基づき本発明の第１実施形態を説明する。図１は梱包装置の部分垂直断面図、図２は梱包装置の水平断面図、図３は発泡樹脂ブロックと段ボール片の平面図である。
【００２１】
第１実施形態の梱包対象は仮想線で存在を示すテレビジョン受像器Ｔである。梱包装置１を構成するのは、直方体形状の段ボールケース２と、その中に挿入されてテレビジョン受像器Ｔの底部コーナー部を支える１対の発泡樹脂ブロック３である。段ボールケース２は通常のカートン形式のものであり、胴部の上面開口部と下面開口部には四辺のそれぞれにフラップが設けられており、このフラップを内側に折り込んで箱形状にする。発泡樹脂ブロック３は、発泡スチロール等、通常用いられる材質のものである。なおテレビジョン受像器Ｔの天面コーナー部にあてがわれる発泡樹脂ブロックも存在するが、これは図示しない。
【００２２】
発泡樹脂ブロック３は、テレビジョン受像器Ｔの底部コーナー部を下から支える台座部３ａと、その底部コーナー部の側面を三方から囲む垂直壁部３ｂを有している。台座部３ａには、図３に示すように、平面形状コ字形のスリット４を形成する。スリット４は台座部３ａの底面から天面方向に延びており、第１実施形態の場合、底面から天面までを貫通している。このスリット４に、平面形状コ字形に折曲した補強用の段ボール片５を挿入する。段ボール片５は台座部３ａと同じ高さを有し、コルゲートのうねが鉛直線に沿うように材料取りされている。
【００２３】
発泡樹脂ブロック３にテレビジョン受像器Ｔを載置すると、テレビジョン受像器Ｔの重量は発泡樹脂と段ボールの両方で支えられることになる。段ボール片５の平面形状の大きさと厚みを適切に設定することにより、テレビジョン受像器Ｔの重量のかなりの部分を段ボール片５で負担し、発泡樹脂ブロック３の変形を防ぐことができる。段ボール片５は発泡樹脂ブロック３のスリット４に挿入されているので倒れる心配がない。また段ボール片５は平面形状がコ字形に折曲されているので、大きな荷重を支えることができる。
【００２４】
本発明の第２実施形態を図４、５に示す。図４は梱包装置の部分垂直断面図、図５は梱包装置の水平断面図である。なお第２実施形態以下の実施形態において、第１実施形態と共通する構成要素には第１実施形態の説明で用いたのと同じ符号を付し、説明は省略する。
【００２５】
第２実施形態が第１実施形態と異なる点は、スリット４の深さ（高さ）である。すなわち第１実施形態ではスリット４は台座部３ａの底面から天面までを貫通していたが、第２実施形態のスリット４は天面の手前で行き止まりになっている。段ボール片５の高さもそれに見合ったものになっている。
【００２６】
この構成によると、テレビジョン受像器Ｔに接触するのはあくまでも発泡樹脂ブロック３の樹脂部分ということになり、硬い段ボール片５でテレビジョン受像器Ｔに傷をつけることがない。
【００２７】
本発明の第３実施形態を図６、７に示す。図６は梱包装置の部分垂直断面図、図７は段ボールケースの水平断面図である。
【００２８】
第３実施形態では、段ボール片５を段ボールケース２の底部フラップ２ａから切り起こして形成した。
【００２９】
この構成によると、段ボール片５の段ボールケース２に対する位置が固定されるので、発泡樹脂ブロック３を段ボールケース２内に正確に位置決めし、位置ずれを防ぐことができる。また段ボール片５用の段ボール材を別途用意する必要がなく、コストを削減できる。
【００３０】
以上本発明の各実施形態につき説明したが、発明の主旨を逸脱しない範囲でさらに種々の変更を加えて実施することができる。
【産業上の利用可能性】
【００３１】
本発明は段ボールケース内で機器の底部コーナー部を発泡樹脂ブロックにより支えるタイプの梱包装置に利用可能である。
【図面の簡単な説明】
【００３２】
【図１】第１実施形態に係る梱包装置の部分垂直断面図
【図２】第１実施形態に係る梱包装置の水平断面図
【図３】第１実施形態に係る発泡樹脂ブロックと段ボール片の平面図
【図４】第２実施形態に係る梱包装置の部分垂直断面図
【図５】第２実施形態に係る梱包装置の水平断面図
【図６】第３実施形態に係る梱包装置の部分垂直断面図
【図７】第３実施形態に係る段ボールケースの水平断面図
【符号の説明】
【００３３】
１    梱包装置
２    段ボールケース
２ａ  底部フラップ
３    発泡樹脂ブロック
３ａ  台座部
４    スリット
５    段ボール片
【図１】
2009046138.tif 000003
【図２】
2009046138.tif 000004
【図３】
2009046138.tif 000005
【図４】
2009046138.tif 000006
【図５】
2009046138.tif 000007
【図６】
2009046138.tif 000008
【図７】
2009046138.tif 000009